(57)【要約】【課題】ボトル状の容器の容量に関わらず確実に容器を吊下げて携行したり運搬したりすることができる容器吊具を提供する。【解決手段】容器吊具１０に、ペットボトル等のボトル状の容器１の首部２に形成された鍔部３の外径と略同じ内径の環状の本体部１１と、本体部１１の内周から中心軸の方向へ向かって斜め上方へ延出し、内径が容器１の首部２の外径と略同じ径となるように周方向へ所定間隔で配置された複数の係止片１２と、本体部１１の中心に対して略対称となるように本体部１１の外周から略法線方向へ延出する一対の腕部１３ａ、及び一対の腕部１３ａの先端同士を接続する把持部１３ｂを有した吊部１３と、吊部１３の一対の腕部１３ａにおける本体部１１側の夫々端部付近で互いが略同一線上となるように配置され屈曲し易く形成された薄肉部１４と、を具備させる。【選択図】図２
0003145260.tif 000002
【実用新案登録請求の範囲】
【請求項１】
ボトル状の容器の首部に形成された鍔部の外径と略同じ内径とされた環状の本体部と、
該本体部の内周から中心軸の方向へ向かって斜め上方へ延出し、内径が容器の首部の外径と略同じ径となるように周方向へ所定間隔で配置された複数の係止片と、
前記本体部の中心に対して略対称となるように該本体部の外周から略法線方向へ延出する一対の腕部、及び一対の該腕部の先端同士を接続する把持部を有した吊部と、
該吊部の一対の前記腕部における前記本体部側の夫々端部付近で互いが略同一線上となるように配置され、屈曲し易く形成された屈曲部と
を具備することを特徴とする容器吊具。
【請求項２】
前記係止片は、前記本体部の内周に略等間隔で奇数個配置されていることを特徴とする請求項１に記載の容器吊具。
【考案の詳細な説明】
【技術分野】
【０００１】
本考案は、ペットボトルやガラス瓶などのボトル状の容器に装着することで容器を吊下げ可能とする容器吊具に関するものである。
【背景技術】
【０００２】
従来より、ボトル状の容器として飲料水等が入ったペットボトルを吊下げて携行したり運搬したりするための容器吊具が種々提案されており、例えば、特許文献１のようなペットボトルのキャップの外径よりも小径のキャップ用挿入孔を形成する可撓性係止片を有した円形部分と、円形部分と続きベルト等を差込可能とされた差込用舌片が形成された方形部分とを備え、方形部分の差込用舌片をベルト等に差込むと共に、キャップ用挿入孔にペットボトルのキャップ部分を挿入することで、ペットボトルを吊下げて携行できるようにした吊下ホルダー（容器吊具）が提案されている。
【０００３】
【特許文献１】実用新案登録第３１２５３２０号公報
【考案の開示】
【考案が解決しようとする課題】
【０００４】
しかしながら、従来の容器吊具では、方形部分を手で持って携行しようとすると、方形部分が円形部分におけるキャップ用挿入孔の中心に対して偏芯した位置に配置されているので、円形部分がペットボトルに対して斜めになってしまい、キャップ用挿入口からペットボトルが抜け易くなってしまう問題がある。また、一般的にペットボトルは容量に関係なくキャップの部分が同じ規格とされているので、ペットボトルの容量が異なっていても、容器吊具を装着することができるが、特許文献１のものでは、キャップ用挿入孔を形成する可撓性係止片が、円形部分の面と略同一の面となっているので、ペットボトルからの重量が可撓性係止片の延びる方向に対して直角方向にかかることとなり、可撓性係止片が撓み易く容量の大きいペットボトルを吊下げることができなかった。
【０００５】
そこで、本考案は上記の実情に鑑み、ボトル状の容器の容量に関わらず確実に容器を吊下げて携行したり運搬したりすることができる容器吊具の提供を課題とするものである。
【課題を解決するための手段】
【０００６】
上記の課題を解決するために、本考案の容器吊具は、「ボトル状の容器の首部に形成された鍔部の外径と略同じ内径とされた環状の本体部と、該本体部の内周から中心軸の方向へ向かって斜め上方へ延出し、内径が容器の首部の外径と略同じ径となるように周方向へ所定間隔で配置された複数の係止片と、前記本体部の中心に対して略対称となるように該本体部の外周から略法線方向へ延出する一対の腕部、及び一対の該腕部の先端同士を接続する把持部を有した吊部と、該吊部の一対の前記腕部における前記本体部側の夫々端部付近で互いが略同一線上となるように配置され、屈曲し易く形成された屈曲部とを具備する」ことを特徴とする構成である。
【０００７】
ここで、「ボトル状の容器」としては、容器の口が先端に形成された首部に鍔部が形成されたものであれば良く、例えば、ＰＥＴ樹脂により形成されたペットボトル、ガラスにより形成されたビール瓶，一升瓶，ワインボトル等のガラス瓶、等が挙げられる。
【０００８】
また、「屈曲部」としては、「腕部を形成する肉厚を薄くしたもの」、「直線状の溝を形成したもの」、「補強リブを削除又は省略したもの」、「穴又は窪みが列設されたもの」、等が挙げられる。なお、屈曲部を、所定方向（吊部が立上る方向）へのみ屈曲し易くしたものとすることが望ましい。
【０００９】
本考案によると、容器吊具における本体部を、ペットボトル等のボトル状の容器に対し容器の鍔部を越えて首部に挿入した上で、本体部の外周に接続された吊部の把持部を把持することで、容器を簡単に吊下げて携行したり運搬したりすることができる。具体的には、容器吊具における環状の本体部を、その内周に形成された係止片が斜めに延出する方向とは反対側を容器の方向へ向けた状態で、容器の鍔部を越えて容器の首部に挿入する。この際に、鍔部の外径よりも小径の内径の係止片が、容器の鍔部やキャップ等と当接することで本体部に対してより立上る方向へ弾性変形しその内径が拡張されるので、本体部が容器の鍔部を容易に越えて首部に挿入装着することができる。そして、本体部を容器に装着した状態で、本体部の外周に接続された吊部の把持部を把持して上方へ持ち上げると、吊部が屈曲部で屈曲するように変形し、把持部が容器の略直上に位置することとなり、容器が傾くことなく略真直ぐ容器を吊上げることができる。
【００１０】
従って、ボトル状の容器を真直ぐ吊下げることができるので、容器に対して本体部が傾くのを防止することができると共に、本体部の内周に形成された複数の係止片を、夫々略均等に容器の鍔部に当接係止させることができ、本体部が容器から抜けるのを確実に防止することができる。
【００１１】
また、本体部の内周に配置された複数の係止片を、斜め上方へ延出させるようにしているので、係止片にかかる容器からの重量を、係止片の延びる方向と係止片の延びる方向に対して直角方向とに分散させることができ、係止片の耐荷重性を高めて撓み難くすることができる。また、斜め上方へ延出させた複数の係止片の内径を、容器の首部の外径と略同じ径としているので、容器からの重量がかかることで係止片が本体部に対して平行となる方向（係止片の内径が縮小する方向）へ変形しようとしても、容器の首部により係止片の変形が阻止されるため、首部から係止片を抜け難くすることができると共に、容量の大きな（例えば、２リットルの容量）容器でも充分に吊下げることができる。なお、係止片の立上る角度は、４５゜〜７５゜の間の角度とすることが望ましい。
【００１２】
更に、吊部の一対の腕部における本体部側の端部付近に形成した屈曲部を、互いに略同一線上となるように形成しているので、把持部を把持して持ち上げると一対の腕部を夫々同じ方向へ屈曲させることができ、吊部が捩れて持ち難くなるのを防止することができる。なお、屈曲部を、本体部の中心を通る線上に夫々形成することが望ましく、これにより、吊部の把持部を容器の重心の略直上に位置させることができ、容器を真直ぐ吊下げて容器から本体部を外れ難くすることができる。
【００１３】
なお、本考案の容器吊具は、可撓性を有した合成樹脂或いは合成ゴムによって各部が一体成形されたものとすることが望ましく、これにより、容器吊具にかかるコストを低減させることができる。また、本考案の容器吊具は、未使用の状態では、本体部と吊部とが略同一面状に位置した状態となるので、全体として嵩張り難くすることができ、単品での保管や運搬などの効率を高めることができる他に、成形型を薄くすることができ、製造に係るコストが増加するのを抑制することができる。
【００１４】
また、本考案の容器吊具は、上記の構成に加えて、「前記係止片は、前記本体部の内周に略等間隔で奇数個配置されている」ものとしても良い。
【００１５】
ところで、本体部の内周に複数配置される係止片において、係止片と係止片との間では容器を係止することができないので、係止片と係止片との間の位置で強い力が作用すると、係止片から容器が外れてしまう虞がある。また、複数の係止片によって容器を環状に係止するようにしており、周方向の所定位置に力を作用させると、中心を挟んで反対側の位置にも力が作用するので、係止片が周方向に等間隔で偶数個配置されている場合、力が作用する位置が係止片と係止片との間の位置であると、中心を挟んで反対側も係止片と係止片との間の位置となるので、作用する力に対する抵抗が弱くなり容器が係止片から外れ易くなる虞がある。
【００１６】
これに対して、本考案では、係止片の数を奇数個としているので、喩え係止片と係止片との間の位置で力が作用しても、中心を挟んで反対側では、係止力の強い係止片の略中央が係止されており、係止片（本体部）から容器を外れ難くすることができ、容器を確実に保持して吊下げることができる。
【考案の効果】
【００１７】
上記のように、本考案によると、ボトル状の容器の容量に関わらず確実に容器を吊下げて携行したり運搬したりすることができる容器吊具を提供することができる。
【考案を実施するための最良の形態】
【００１８】
以下、本考案を実施するための最良の形態を、図１乃至図３に基いて詳細に説明する。図１は、本考案の容器吊具を示す斜視図である。また、図２は、図１の容器吊具を容器に装着した状態を示す斜視図である。更に、図３は、図１の容器吊具を各部の寸法と共に示す平面図である。本実施形態の容器吊具１０は、図示するように、環状の本体部１１と、本体部１１の内周に周方向へ所定間隔で配置された複数の係止片１２と、本体部１１の外周に接続された吊部１３と、吊部１３における本体部１１側の端部付近に配置された屈曲部１４とを備えており、本体部１１、係止片１２、及び吊部１３が、合成樹脂（本例では、ＰＰ（ポリプロピレン））によって一体成形されている。
【００１９】
容器吊具１０における本体部１１は、その内径がペットボトル等のボトル状の容器１における首部２に形成された鍔部３の外径と略同じ径（本例では、径が約３２ｍｍ）とされている。また、複数の係止片１２は、本体部１１の内周から中心軸の方向へ向かって斜め上方へ延出し、内径が容器１の首部２の外径と略同じ径（本例では、径が約２９ｍｍ）となるように周方向へ略等間隔で五個配置されている。この係止片１２は、本体部１１の面に対して約６０゜の角度で立上るように形成されている（図３を参照）。
【００２０】
容器吊具１０の吊部１３は、本体部１１の中心に対して略対称となるように本体部１１の外周から略法線方向へ延出する一対の腕部１３ａと、一対の腕部１３ａの先端同士を接続する把持部１３ｂとを有している。この吊部１３における腕部１３ａは、所定厚さ（本例では、厚さが約２ｍｍ）の平板に形成されていると共に、外側縁に本体部１１及び把持部１３ｂと連なる補強用のリブ１３ｃが上下面に形成されており、このリブ１３ｃにより腕部１３ａの耐荷重特性が高められている。また、腕部１３ａにおけるリブ１３ｃは、図示するように、屈曲部１４付近には形成されていないので、屈曲部１４の周辺では腕部１３ａが曲り易くなっており、吊部１３を上方へ持上げたときに、腕部１３ａの一部も変形し屈曲部１４のみに変形荷重が集中するのを防止することができるようになっている。
【００２１】
また、容器吊具１０の屈曲部１４は、吊部１３の一対の腕部１３ｂにおける本体部１１側の端部付近で、互いが本体部１１の中心を通る直線上に配置されている。この屈曲部１４は、図示するように、腕部１３ａにおける一般部分（約２ｍｍ）よりも薄肉（約１．５ｍｍ）に形成したもので、容器吊具１０の上面側（係止片１２が延出する側）にのみ形成されており、吊部１３の把持部１３ｂを上方へ立上げ易くしている。また、吊部１３の把持部１３ｂは、二つの屈曲部１４が配置された直線と略平行となるように配置されていると共に、本体部１１よりも外側へ若干膨らむような緩い円弧状に形成されている。
【００２２】
なお、五個（奇数個）配置された係止片１２は、係止片１２同士の間となる一箇所が、本体部１１の周方向に対して、二つの屈曲部１４が配置された直線に対して直交する線と交わる周方向の位置に配置されており、本体部１１に対して吊部１３が接続された本体部の１１の周方向位置に、係止片１２同士の間が位置しないようになっている。また、係止片１２は、本体部１１よりも薄く形成されている。
【００２３】
また、容器吊具１０は、本体部１１と吊部１３との接続部分に、肉厚を厚く形成した補強部１５を備えており、この補強部１５によって、吊部１３の把持部１３ｂを持って容器１を吊上げた時に、本体部１１との接続部分に係る荷重により吊部１３が接続部分で折れたり千切れたりするのを防止することができるようになっている。なお、左右の補強部１５は、図示するように、略直線上となるように配置されている。
【００２４】
次に、本実施形態の容器吊具１０の使用方法について説明する。まず、容器吊具１０の本体部１１を、その内周に形成された係止片１２が斜め上方に延出する方向とは反対側を容器１の口を閉鎖したキャップ４の上面へ向けた状態で、容器１の方向へ移動させる。そして、鍔部３の外径よりも小径の内径の係止片１２が、容器１のキャップ４と当接することで本体部１１に対してより立上る方向へ弾性変形しその内径が拡張されるので、環状の本体部１１内に、容器１を閉鎖するキャップ４が挿入される。その状態で本体部１１を更に容器１の首部２の方向へ移動させると、本体部１１が容器１の鍔部３を越えて首部２へと到達すると共に、立上る方向へ変形した係止片１２が元の状態に復帰し、係止片の先端が鍔部３の下面に係止されて、本体部１１（容器吊具１０）が容器１に装着されることとなる。
【００２５】
そして、本体部１１を容器１に装着した状態で、本体部１１の外周に接続された吊部１３の把持部１３ｂを把持して上方へ持ち上げると、吊部１３における腕部１３ａに形成された屈曲部１４が屈曲するように変形し、本体部１１の面に対して吊部１３の面が略直交するように立上って吊部１３の把持部１３ｂが容器１の略直上に位置した状態となる。その状態で、容器吊具１０の吊部１３を上方へ更に移動させると、本体部１１の内周に形成された係止片１２の内周先端が、容器１における鍔部３の下側に当接して係止され、容器１が容器吊具１０によって吊上げられることとなり、容器１を携行したり運搬したりすることができる。
【００２６】
このように、本実施形態の容器吊具１０によると、上述したようにボトル状の容器１を真直ぐ吊下げることができるので、容器１に対して本体部１１が傾くのを防止することができると共に、本体部１１の内周に形成された五個の係止片１２を、夫々略均等に容器１の鍔部３に当接係止させることができ、本体部１１が容器１から抜けるのを確実に防止することができる。
【００２７】
また、本体部１１の内周に配置された係止片１２を、斜め上方へ延出させるようにしているので、係止片１２にかかる容器１の重量を、係止片１２の延びる方向と係止片１２の延びる方向に対して直角方向とに分散させることができ、係止片１２の耐荷重性を高めて撓み難くすることができる。また、斜め上方へ延出させた係止片１２の内径を、容器１の首部２の外径と略同じ径としているので、容器１の重量がかかることで係止片１２が本体部１１に対して平行となる方向へ変形しようとしても、容器１の首部２により係止片１２の変形が阻止されるため、首部２から係止片１２を抜け難くすることができる。従って、容量の大きな（例えば、２リットルの容量）容器１でも充分に吊下げることができ、ボトル状の容器１の容量に関わらず確実に容器１を吊下げて携行したり運搬したりすることができる容器吊具１０を提供することができる。
【００２８】
更に、吊部１３の一対の腕部１３ａにおける本体部１１側の端部付近に形成した屈曲部１４を、互いに略同一線上となるように形成しているので、把持部１３ｂを把持して持ち上げると一対の腕部１３ａを夫々同じ方向へ屈曲させることができ、吊部１３が捩れて持ち難くなるのを防止することができる。また、屈曲部１４を、本体部１１の中心を通る線上に夫々形成しているので、吊部１３の把持部１３ｂを容器１の重心の略直上に位置させることができ、上述した作用効果を確実に奏することができる。
【００２９】
また、係止片１２の数を五個（奇数個）としているので、喩え係止片１２と係止片１２との間の位置で力が作用しても、中心を挟んで反対側では、係止力の強い係止片１２の略中央が係止されており、係止片１２（本体部１１）から容器１を外れ難くすることができ、容器１を確実に係止して吊下げることができる。また、本例の容器吊具１０は、未使用の状態では、図１に示すように、本体部１１と吊部１３とが略同一面状に位置した状態となるので、全体として嵩張り難くすることができ、単品での保管や運搬などの効率を高めることができる他に、成形型を薄くすることができ、製造に係るコストが増加するのを抑制することができる。
【００３０】
以上、本考案を実施するための最良の実施の形態を挙げて説明したが、本考案は、この実施形態に限定されるものではなく、以下に示すように、本考案の要旨を逸脱しない範囲において、種々の改良及び設計の変更が可能である。
【００３１】
すなわち、上記の実施形態では、容器吊具１０に吊部１３を一つ備えたものを示したが、これに限定するものではなく、本体部１１を挟んで両側に吊部１３を備えるようにしても良く、これにより、吊部１３の腕部１３ａが四つとなり、一つ当りの腕部１３ａにかかる荷重を小さくすることができるので、蓋然的に腕部１３ａに形成された屈曲部１４にかかる荷重も小さくなり、相対的に容器吊具１０の耐荷重性が向上し、より重い容器１でも充分に吊下げることができる。
【００３２】
また、上記の実施形態では、容器吊具１０における吊部１３の把持部１３ｂを、円弧状に緩く湾曲した形状のものを示したが、これに限定するものではなく、把持部１３ｂの内周側に複数の突起を設けて滑り難くしたり、把持部１３ｂの内周中央に凹部を設けて釘やフック等を引掛け易くしたりしても良く、これにより、容器吊具１０の使い勝手をより向上させることができる。
【図面の簡単な説明】
【００３３】
【図１】本考案の容器吊具を示す斜視図である。
【図２】図１の容器吊具を容器に装着した状態を示す斜視図である。
【図３】図１の容器吊具を各部の寸法と共に示す平面図である。
【符号の説明】
【００３４】
１  容器
２  首部
３  鍔部
１０  容器吊具
１１  本体部
１２  係止片
１３  吊部
１３ａ  腕部
１３ｂ  把持部
１４  屈曲部
【図１】
0003145260.tif 000003
【図２】
0003145260.tif 000004
【図３】
0003145260.tif 000005